(57)【特許請求の範囲】
【請求項１】
高速で回転する複数の回転翼を有し前記回転翼の回転軸を中心として開口する供給口から供給された籾を遠心力によって放出し部材への衝撃力によって脱ぷする遠心脱ぷ機に適用され、前記遠心脱ぷ機に籾を供給するための籾供給装置において、
前記供給口に接続され、前記供給口に向かって傾斜する傾斜面を有し、籾が投入される供給ホッパと、
前記供給口の近傍に設けられ、前記供給ホッパに滞留する籾の安息角の仮想面に沿って互いに離間して位置すると共に上位に位置する一方は前記仮想面に対して上側に位置し下位に位置する他方は前記仮想面に対して下側に位置し、各先端部がそれぞれ前記仮想面に達するように延出する一対の詰まり防止板と、
を備えたことを特徴とする籾供給装置。
【請求項２】
前記回転翼の回転軸を前記供給口近傍の前記一対の詰まり防止板の間まで延長して設け、かつ、当該部位に螺旋羽根を設けた、
ことを特徴とする請求項１記載の籾供給装置。
【発明の詳細な説明】
【０００１】
【発明の属する技術分野】
本発明は籾を脱ぷ処理する遠心脱ぷ機に適用されこの遠心脱ぷ機に籾を供給するための籾供給装置に関する。
【０００２】
【従来の技術】
供給された籾を脱ぷ処理して玄米を取り出す籾摺選別装置として、遠心脱ぷ式（衝撃脱ぷ式）の脱ぷ機を備えた遠心脱ぷ揺動選別装置が知られている。
【０００３】
この種の遠心脱ぷ揺動選別装置の遠心脱ぷ機は、放射状に配置され高速で回転する複数の回転翼を有しており、供給された籾を遠心力によって放出し外周ケースに衝突させてその衝撃力によって脱ぷする構成となっている。また、この遠心脱ぷ機には、回転翼の回転軸を中心として開口する供給口が設けられており、さらに、この供給口には籾が投入される供給ホッパが接続されている。脱ぷ処理するための籾はこの供給ホッパ内に投入され、供給口から順次遠心脱ぷ機内へと供給されるようになっている。
【０００４】
ところで、このような遠心脱ぷ機では、供給ホッパからの籾が供給（流入）する供給口に、この供給口を開放状態または閉鎖状態にできる開閉シャッターが設けられていた。これにより、遠心脱ぷ機の停止時に（不作動状態のときに）、供給ホッパ内の籾が不要に流入しないようにできる構成であった。
【０００５】
しかしながら、例えば緊急時にあるいは作業者が不注意で、供給ホッパ内に籾が残留している状態で当該開閉シャッターを開放したまま遠心脱ぷ機を停止すると、遠心脱ぷ機の内部に（複数の回転翼の間に）籾が自然に流入し、次回の遠心遠心脱ぷ機の起動時に過大な負荷が作用して装置が起動できなくなる恐れがあった。
【０００６】
【発明が解決しようとする課題】
本発明は上記事情を考慮し、遠心脱ぷ機の供給口から籾が供給（流入）される状態のままで（例えば、供給ホッパに設けられた開閉シャッターを開放したままで）遠心脱ぷ機を停止した場合であっても（換言すれば、供給ホッパに設けられた開閉シャッターの開閉状態に拘わらず）、遠心脱ぷ機への籾の詰まりを防止して遠心脱ぷ機の再起動をスムーズに行うことができる籾供給装置を得ることが目的である。
【０００７】
【課題を解決するための手段】
請求項１に係る発明の籾供給装置は、高速で回転する複数の回転翼を有し前記回転翼の回転軸を中心として開口する供給口から供給された籾を遠心力によって放出し部材への衝撃力によって脱ぷする遠心脱ぷ機に適用され、前記遠心脱ぷ機に籾を供給するための籾供給装置において、前記供給口に接続され、前記供給口に向かって傾斜する傾斜面を有し、籾が投入される供給ホッパと、前記供給口の近傍に設けられ、前記供給ホッパに滞留する籾の安息角の仮想面に沿って互いに離間して位置すると共に上位に位置する一方は前記仮想面に対して上側に位置し下位に位置する他方は前記仮想面に対して下側に位置し、各先端部がそれぞれ前記仮想面に達するように延出する一対の詰まり防止板と、を備えたことを特徴としている。
【０００８】
なお、遠心脱ぷ機の供給口を開放または閉鎖できる開閉シャッターを更に設けても、何ら差し支えない。
【０００９】
請求項１記載の籾供給装置では、供給ホッパに籾が投入され、遠心脱ぷ機の供給口から内部へ供給される。さらに、遠心脱ぷ機に供給された籾は、高速で回転する回転翼による遠心力によって放出されて部材に衝突し、この際の衝撃力によって脱ぷ処理される。
【００１０】
ここで、遠心脱ぷ機（回転翼の回転）が停止すると、仮に供給ホッパ内に籾が残留している状態であっても、供給口の近傍に設けられた一対の詰まり防止板によって、遠心脱ぷ機の内部へ（複数の回転翼の間に）籾が多量に流入することが防止される。すなわち、一対の詰まり防止板は、供給ホッパに滞留する籾の安息角の仮想面に沿って互いに離間して位置すると共に上位に位置する一方はこの仮想面に対して上側に位置し下位に位置する他方は仮想面に対して下側に位置しており、しかも、各先端部がそれぞれ前記仮想面に達するように延出して設けられているため、供給ホッパ内の籾が供給口から内部へ流入しようとしてもこれら一対の詰まり防止板によって阻止され、遠心脱ぷ機への籾の詰まりが防止される。
【００１１】
したがって、このような状態のままで遠心脱ぷ機を再起動させる際においても、籾の詰まりに起因した過大な負荷が作用することがなく、遠心脱ぷ機をスムーズに再起動させることができる。
【００１２】
このように、請求項１記載の籾供給装置では、遠心脱ぷ機の供給口から籾が供給（流入）される状態のままで（例えば、供給ホッパに設けられた開閉シャッターを開放したままで）遠心脱ぷ機を停止した場合であっても（換言すれば、供給ホッパに設けられた開閉シャッターの開閉状態に拘わらず）、遠心脱ぷ機への籾の詰まりを防止して遠心脱ぷ機の再起動をスムーズに行うことができる。
【００１３】
請求項２に係る発明の籾供給装置は、請求項１記載の籾供給装置において、前記回転翼の回転軸を前記供給口近傍の前記一対の詰まり防止板の間まで延長して設け、かつ、当該部位に螺旋羽根を設けた、ことを特徴としている。
【００１４】
請求項２記載の籾供給装置では、一対の詰まり防止板の間まで延長して設けられた回転翼の回転軸に螺旋羽根が設けられているため、回転翼が回転することで、当該部位に滞留する籾を遠心脱ぷ機の内部へ掻き出すことができる。このため、遠心脱ぷ機を再起動する際には、一対の詰まり防止板によって流入が阻止された籾をより一層スムーズに供給口から遠心脱ぷ機内へ供給することができ、一層効果的である。
【００１５】
【発明の実施の形態】
図１には本発明の実施の形態に係る籾供給装置が適用された遠心脱ぷ揺動選別装置１０の全体構成が断面図にて示されており、図２にはこの遠心脱ぷ揺動選別装置１０の全体構成が平面図にて示されている。
【００１６】
遠心脱ぷ揺動選別装置１０は、供給された籾Ｍを脱ぷ処理して玄米Ｇとして取り出すためのものであり、全体として遠心脱ぷ部１０Ａと揺動選別部１０Ｂとによって構成されている。
【００１７】
遠心脱ぷ部１０Ａには、遠心脱ぷ機１６が配置されている。図３にも詳細に示す如く、遠心脱ぷ機１６内には、回転軸１７に複数の回転翼１８（一種のブロア）が放射状に設けられており、高速で回転する。また、遠心脱ぷ機１６の側壁部分には、回転軸１７を中心として供給口１４が開口しており、この供給口１４から籾が供給されるようになっている。回転翼１８の回転軸１７は供給口１４を挿通して外方へ延長して設けられており、さらに当該部位には螺旋羽根１９が設けられている。また、遠心脱ぷ機１６の内周にはライニング板２０が設けられている。
【００１８】
一方、遠心脱ぷ機１６の側方（供給口１４の側）には、遠心脱ぷ部１０Ａを構成する供給ホッパ１２が配置されている。この供給ホッパ１２は、上面が矩形に開口すると共に底部に至るに従い徐々に狭くなるテーパ形状となっており（傾斜する側壁１２Ａを有しており）、籾Ｍが投入されるようになっている。さらに、供給ホッパ１２の最底部は箱状に構成された連結部１３となっており、この連結部１３が遠心脱ぷ機１６の供給口１４の側方から連結された構成となっている。したがって、供給ホッパ１２に投入された籾Ｍは、この連結部１３から供給口１４を介して順次遠心脱ぷ機１６の内部へと流入する。また、供給ホッパ１２が遠心脱ぷ機１６の供給口１４に連結された状態では、前述した回転翼１８の回転軸１７の先端部分（供給口１４を挿通して外方へ延長され螺旋羽根１９が設けられた部位）は、箱状の連結部１３内に位置した（達した）状態となっている。
【００１９】
またここで、図３に詳細に示す如く、前述した供給ホッパ１２の側壁１２Ａは、供給ホッパ１２の内部に滞留する籾Ｍの安息角（例えば、本実施の形態においては、約４５度）で前記供給口１４に向かって傾斜する傾斜面とされている。
【００２０】
さらに、供給口１４の近傍には、一対の詰まり防止板２１、２３が設けられている。これらの詰まり防止板２１、２３は、供給ホッパ１２の側壁１２Ａ（傾斜面）に沿った仮想面Ｘ（図３に一点鎖線にて示す）に沿って互いに離間して位置すると共に、上位に位置する一方の詰まり防止板２１は、前記仮想面Ｘに対して上側に位置しており、下位に位置する他方の詰まり防止板２３は前記仮想面Ｘに対して下側に位置している。さらに、これらの一対の詰まり防止板２１、２３は、それぞれ前記仮想面Ｘに略直交しかつ各先端部がそれぞれ前記仮想面Ｘに達するように延出して設けられている。換言すれば、上位に位置する一方の詰まり防止板２１は、前述した螺旋羽根１９が設けられた回転軸１７の先端部分に対して上側に設けられ、前記仮想面Ｘに向かって下向きに傾斜して延出しており、一方、下位に位置する他方の詰まり防止板２３は、回転軸１７の先端部分に対して下側に設けられ、前記仮想面Ｘに向かって上向きに傾斜して延出している。
【００２１】
また、供給ホッパ１２の側壁１２Ａには開閉シャッター１５が設けられている。この開閉シャッター１５は、前記仮想面Ｘに沿って供給ホッパ１２の連結部１３に進入・離脱することができ、連結部１３に進入した状態では、詰まり防止板２１に当接して遠心脱ぷ機１６の供給口１４を遮断（閉鎖）することができる構成となっている。
【００２２】
以上の構成の供給ホッパ１２に投入された籾Ｍは、遠心脱ぷ機１６の供給口１４から遠心脱ぷ機１６内に流入し、高速で回転する回転翼１８によって遠心力を付与され放射状に放出され、さらに、放射状に放出された籾Ｍはライニング板２０に衝突し、その際の衝撃力によって脱ぷ処理（所謂、籾摺り）される構成となっている。なお、以下は、ライニング板２０に衝突し脱ぷ処理された籾Ｍを籾摺米Ｓという。この籾摺米Ｓは、脱ぷされた多量の玄米Ｇと、脱ぷしきれなかった少量の籾Ｍと、籾殻Ｎとが混在している。
【００２３】
遠心脱ぷ機１６からは上方へむけて案内筒２２が立設されており、その先端部は風選室３０に連結されている。このため、籾摺米Ｓは、案内筒２２を経て風選室３０へ案内される。
【００２４】
風選室３０には、複数の網板２４及び隔壁２６によって風選路３４、３６が設けられている。これにより、風選室３０へ案内された籾摺米Ｓは、その中に混入した籾殻Ｎ、及び粃Ｔ（未熟粒であり、殻ばかりで実の殆どない籾）が遠心脱ぷ部１０Ａの回転翼１８と同軸上に併設された籾殻排出ブロワ（風選室３０内の下方にあり、図示されていない）の吸引力によって吸い取られるようになっている。吸い取られた籾殻Ｎは籾殻排出ブロワの籾殻排出樋４２を介して外部に排出される構成である。
【００２５】
また、粃Ｔは、籾殻Ｎよりも重いため、一方の風選路３４からは吸い取られず（上りきらず）、他方の風選路３６において若干吸い上げられると、この吸い上げに耐えられずに落下して、装置外へ排出される構成である。
【００２６】
以上の構成の風選室３０の側方には、一番粒樋４８が設けられている。この一番粒樋４８は、風選室３０の網板３７部分に連通しており、風選室３０を通過し籾殻Ｎ及び粃Ｔが除去された籾摺米Ｓが案内されるようになっている。なお、以下は、風選室３０を通過し籾殻Ｎ及び粃Ｔが除去された籾摺米Ｓを混合米Ｋという。すなわち、この混合米Ｋには、多量の玄米Ｇと少量の籾Ｍとが混在している。
【００２７】
一番粒樋４８の下方（遠心脱ぷ部１０Ａの側方）には揺動選別部１０Ｂが配置されており、一番粒樋４８を通過した混合米Ｋは揺動選別部１０Ｂへと案内されるようになっている。
【００２８】
揺動選別部１０Ｂの一側(図１紙面左側）には、分配樋７２が設けられている。この分配樋７２は、それぞれ所定の隙間をおいて積層配置された複数枚の揺動選別板７４にそれぞれ連通しており、一番粒樋４８からの混合米Ｋを各揺動選別板７４にそれぞれ均等に分配供給することができるようになっている。
【００２９】
揺動選別板７４は、その１つの角部（図１の右側かつ奥側）を支点として、当該角部の対角線上の角部の高さ位置が前記支点の角部よりも低くなるように調整され、三次元的に傾斜している。すなわち、図１において、揺動選別板７４の右側が高く左側が低く傾斜しており、かつ、紙面奥側が高く紙面手前側が低く傾斜している。そして、この揺動選別板７４の表面全体には、右側面が起立し左側面が緩傾斜した断面略三角形状の無数の突起７６がエンボス加工によって形成されている。
【００３０】
以上の構成の分配樋７２及び複数枚の揺動選別板７４から成る揺動選別部１０Ｂ（その本体部分）は、図示を省略したメインモータの駆動力が伝達されて作動し、回転駆動力がクランク機構（カム機構）によって往復駆動力に変換されて図１の左右方向に揺動（振動）するようになっている。揺動選別板７４上に供給された混合米Ｋは、この揺動選別板７４の左右の揺動（振動）によって、玄米Ｇと、籾Ｍ（脱ぷ処理なれなかったもの）と、これらが混在する混合米Ｋとに選別される構成である。
【００３１】
すなわち、比重が大きい玄米Ｇは、混合米層の下方に沈んで前記突起７６により押し出されるようにして揺動選別板７４の右側へと順次移行し、比重が小さい籾Ｍは、混合米層の上方に浮いて層の表面上を滑り落ちるようにして揺動選別板７４の左側へと順次移行することになる。この移行度合いの差によって、揺動選別板７４上において、図１の右側の領域に玄米Ｇ、中央の領域に混合米Ｋ、左側の領域に籾Ｍが集中し、もって選別（分離）されるようになっている。この現象は、揺動選別板７４の奥側（供給側）から手前側に自然に流下しつつ徐々にはっきりと現れてくる。しかして、揺動選別板７４上の玄米Ｇと混合米Ｋと籾Ｍ（以下、混合米等という）は、各段の揺動選別板７４の手前側から下方に落下するようになっている。
【００３２】
また、揺動選別板７４の落下側端部（図１の紙面手前側端部）には、固定仕切板７８と、移動仕切板８０とが配設されている。
【００３３】
固定仕切板７８は、前述の如く揺動選別板７４によって選別（分離）された籾Ｍと混合米Ｋとの境界付近に位置しており、この固定仕切板７８よりも図１の左側には籾Ｍが落下し、固定仕切板７８よりも図１の右側には混合米Ｋが落下するようになっている。一方、移動仕切板８０は、前述の如く揺動選別板７４によって選別（分離）された籾Ｍと混合米Ｋとの境界付近に位置しており、この移動仕切板８０よりも図１の左側には混合米Ｋが落下し、移動仕切板８０よりも図１の右側には玄米Ｇが落下するようになっている。
【００３４】
また、これらの固定仕切板７８及び移動仕切板８０の下方には、揺動排出樋８２が設けられており、さらに、この揺動排出樋８２には、籾戻し口８４、混合米排出口８６及び玄米排出口８８が設けられている。このため、固定仕切板７８によって選別（分離）された籾Ｍは、籾戻し口８４へ案内され、また、固定仕切板７８と移動仕切板８０によって選別（分離）された混合米Ｋは、混合米排出口８６へ案内され、移動仕切板８０によって選別（分離）された玄米Ｇは、玄米排出口８８へ案内される構成である。
【００３５】
籾戻し口８４の側近には籾戻し樋９０が設けられており、籾戻し口８４へ案内された籾Ｍは籾戻し樋９０へ落下するようになっている。また、この籾戻し樋９０は、前述した遠心脱ぷ部１０Ａの供給ホッパ１２の連結部１３に連通されている。したがって、籾戻し口８４から籾戻し樋９０へ落下した籾Ｍは、遠心脱ぷ部１０Ａの回転翼１８の吸引力によって吸い取られて、再び遠心脱ぷ部１０Ａに直接返送されることになる。すなわち、籾戻し口８４から落下するのは、揺動選別部１０Ｂによって選別され再度遠心脱ぷ部１０Ａによって籾摺りが必要な籾Ｍであり、このため揺動選別部１０Ｂからの籾Ｍが送り込まれるようになっている。
【００３６】
一方、混合米排出口８６は、混合米戻しスロワ５２に連結されている。混合米戻しスロワ５２は、前述した遠心脱ぷ部１０Ａの風選室３０の網板３７部分に連通している。すなわち、混合米排出口８６から落下する混合米Ｋは、再度選別が必要なものであり、このため揺動選別部１０Ｂの分配樋７２へ混合米Ｋが送り込まれるようになっている。これにより、前記混合米排出口８６から排出された混合米Ｋは、再び揺動選別部１０Ｂでの選別が実行されることになる。
【００３７】
また一方、玄米排出口８８には、玄米排出シャッター１０６が設けられている。玄米排出シャッター１０６は、玄米排出モータ（図示省略）の駆動力によって開閉する。本実施の形態に係る遠心脱ぷ揺動選別装置１０では、装置の運転開始直後から所定時間（すなわち、準備時間）は、揺動選別部１０Ｂによる選別が完全に行われず、揺動選別板７４の図１の右端においても混合米Ｋが存在することがある。このため、前記準備時間中は、玄米排出口８８を玄米排シャッター１０６によって閉じておき、全て混合米排出口８６へ案内するようにしている。準備時間が経過した後には、自動的に玄米排出シャッター１０６が開放され、玄米Ｇは玄米排出口８８から排出される構成である。
【００３８】
この玄米排出口８８は、玄米排出スロワ１０８に連結されている。このため、玄米排出口８８から排出された玄米Ｇは、玄米排出スロワ１０８によって撥ね出されて、玄米取出樋１１０から外部に取り出されるようになっている。
【００３９】
次に、本実施の形態の作用を説明する。
【００４０】
上記構成の遠心脱ぷ揺動選別装置１０では、遠心脱ぷ部１０Ａの供給ホッパ１２に籾Ｍが投入され装置の運転が開始されると、籾Ｍは、高速で回転する回転翼１８の吸引力及び回転軸１７の螺旋羽根１９の掻出力によって詰まり防止板２３を乗り越えて供給ホッパ１２の連結部１３から供給口１４を介して順次遠心脱ぷ機１６の内部へと流入し、高速で回転する回転翼１８によって遠心力を付与され放射状に放出される。放出された籾Ｍは、ライニング板２０に衝突しその際の衝撃力によって脱ぷ処理（所謂、籾摺り）がなされる。脱ぷ処理された籾摺米Ｓは、順次風選室３０へ流入し、この中に混入した籾殻Ｎ及び粃Ｔ等が遠心脱ぷ機１６の回転翼１８と同軸上に併設された籾殻排出ブロワの吸引力によって吸い取られる。この籾殻Ｎは籾殻排出ブロワの籾殻排出樋４２を介して外部に排出され、また粃Ｔも装置外へ排出される。
【００４１】
一方、風選室３０を通過し籾殻Ｎ及び粃Ｔ等が除去された混合米Ｋは、一番粒樋４８を介して揺動選別部１０Ｂへと案内される。
【００４２】
揺動選別部１０Ｂでは、混合米Ｋが、分配樋７２から各揺動選別板７４にそれぞれ均等に分配供給される。各揺動選別板７４上に供給された混合米Ｋは、この揺動選別板７４の左右の揺動（振動）によって、玄米Ｇと、籾Ｍと、これらが混在する混合米Ｋとに選別される。
【００４３】
さらに、固定仕切板７８によって選別（分離）された籾Ｍは、籾戻し口８４へ案内され、この籾戻し口８４から籾戻し樋９０を介して再び遠心脱ぷ部１０Ａに直接返送される。また、固定仕切板７８と移動仕切板８０によって選別（分離）された混合米Ｋは、混合米排出口８６から排出され、混合米戻しスロワ５２によって遠心脱ぷ部１０Ａの風選室３０の網板３７部分に返送される。この結果、この混合米Ｋは、再度揺動選別部１０Ｂの分配樋７２へと送られ、再び揺動選別部１０Ｂでの選別が実行される。
【００４４】
一方、移動仕切板８０によって選別（分離）された玄米Ｇは、玄米排出口８８から排出され、玄米排出スロワ１０８によって撥ね出されて玄米取出樋１１０から外部に取り出される。
【００４５】
ここで、本発明の実施の形態に係る籾供給装置が適用された遠心脱ぷ揺動選別装置１０の遠心脱ぷ部１０Ａにおいては、遠心脱ぷ機１６（回転翼１８の回転）が停止すると、仮に供給ホッパ１２内に籾Ｍが残留している状態であっても、回転翼１８の吸引力及び回転軸１７の螺旋羽根１９の掻出力が無くなるため、供給口１４の近傍に設けられた一対の詰まり防止板２１、２３によって、遠心脱ぷ機１６の内部へ（複数の回転翼１８の間に）籾Ｍが多量に流入することが防止される。
【００４６】
すなわち、一対の詰まり防止板２１、２３は、安息角で傾斜する供給ホッパ１２の側壁１２Ａ（傾斜面）に沿った仮想面Ｘに沿って互いに離間して位置すると共に上位に位置する一方の詰まり防止板２１はこの仮想面Ｘに対して上側に位置し下位に位置する他方の詰まり防止板２３は仮想面Ｘに対して下側に位置しており、しかも、それぞれ前記仮想面Ｘに略直交しかつ各先端部がそれぞれ前記仮想面Ｘに達するように延出して設けられているため、供給ホッパ１２内の籾Ｍが供給口１４から遠心脱ぷ機１６の内部へ流入しようとしてもこれら一対の詰まり防止板２１、２３によって阻止され、遠心脱ぷ機１６への籾Ｍの詰まりが防止される。
【００４７】
したがって、このような状態のままで遠心脱ぷ機１６を再起動させる際においても、籾Ｍの詰まりに起因した過大な負荷が作用することがなく、遠心脱ぷ機１６をスムーズに再起動させることができる。
【００４８】
このように、本実施の形態に係る籾供給装置（供給ホッパ１２及び一対の詰まり防止板２１、２３等）では、遠心脱ぷ機１６の供給口１４から籾Ｍが供給（流入）される状態のままで（例えば、供給ホッパ１２に設けられた開閉シャッター１５を開放したままで）遠心脱ぷ機１６を停止した場合であっても（換言すれば、供給ホッパ１２に設けられた開閉シャッター１５の開閉状態に拘わらず）、遠心脱ぷ機１６への籾Ｍの詰まりを防止して遠心脱ぷ機１６の再起動をスムーズに行うことができる。
【００４９】
またさらに、本実施の形態に係る籾供給装置では、回転翼１８の回転軸１７が供給口１４近傍（連結部１３内）の一対の詰まり防止板２１、２３の間まで延長して設けられており、しかも当該部位には螺旋羽根１９が設けられている。このため、回転翼１８が回転することで、当該部位（連結部１３内）に滞留する籾Ｍを遠心脱ぷ機１６の内部へ掻き出すことができる。したがって、遠心脱ぷ機１６を再起動する際には、一対の詰まり防止板２１、２３によって流入が阻止された籾Ｍをより一層スムーズに供給口１４から遠心脱ぷ機１６内へ供給することができ、一層効果的である。
【００５０】
【発明の効果】
以上説明した如く本発明に係る籾供給装置は、遠心脱ぷ機の供給口から籾が供給（流入）される状態のままで（例えば、供給ホッパに設けられた開閉シャッターを開放したままで）遠心脱ぷ機を停止した場合であっても（換言すれば、供給ホッパに設けられた開閉シャッターの開閉状態に拘わらず）、遠心脱ぷ機への籾の詰まりを防止して遠心脱ぷ機の再起動をスムーズに行うことができるという優れた効果を有している。
【図面の簡単な説明】
【図１】本発明の実施の形態に係る籾供給装置が適用された遠心脱ぷ揺動選別装置の全体構成を示す断面図である。
【図２】本発明の実施の形態に係る籾供給装置が適用された遠心脱ぷ揺動選別装置の全体構成を示す平面図である。
【図３】本発明の実施の形態に係る籾供給装置の構成を示す断面図である。
【符号の説明】
１０    遠心脱ぷ揺動選別装置
１０Ａ  遠心脱ぷ部
１０Ｂ  揺動選別部
１２    供給ホッパ（籾供給装置）
１２Ａ  側壁（傾斜面）
１３    連結部
１４    供給口
１６    遠心脱ぷ機
１７    回転軸
１８    回転翼
１９    螺旋羽根
２０    ライニング板
２１    詰まり防止板（籾供給装置）
２３    詰まり防止板（籾供給装置）
Ｘ      仮想面
Ｍ      籾
Ｓ      籾摺米
Ｋ      混合米
Ｇ      玄米
Ｎ      籾殻
Ｔ      粃
【図１】
0003888925.tif 000002
【図２】
0003888925.tif 000003
【図３】
0003888925.tif 000004